(57)【要約】【課題】  出力電圧の安定化を図るための電圧発生装置及びその方法、これを具備した表示装置及びその駆動装置が開示される。【解決手段】  電圧発生装置は、第１昇圧部と第２昇圧部とを有する。第１昇圧部は、入力電圧を昇圧して第１昇圧電圧を負荷に出力する。第２昇圧部は、第１昇圧電圧が臨界範囲を外れる場合、第２昇圧電圧を前記負荷に出力する。第２昇圧部は、第１昇圧電圧が負荷に出力される時に入力電圧を充電し、第１昇圧部に入力電圧が充電される時に第２昇圧電圧を前記負荷に出力する。従って、不安定な第１昇圧電圧を第２昇圧電圧により補償することができる。【選択図】    図１
2006113516.tif 000002
【特許請求の範囲】
【請求項１】
入力電圧を昇圧した第１昇圧電圧を負荷に出力する第１昇圧部と、
前記第１昇圧電圧が所定の範囲の場合、前記入力電圧を昇圧した第２昇圧電圧を前記負荷に出力して前記第１昇圧電圧を補償する第２昇圧部と、
を含むことを特徴とする、電圧発生装置。
【請求項２】
前記所定の範囲は基準電圧より小さい場合を含むことを特徴とする、請求項１に記載の電圧発生装置。
【請求項３】
前記所定の範囲は前記第１昇圧電圧を前記負荷に印加して前記負荷に流れる電流が基準電流より小さい場合を含むことを特徴とする、請求項１に記載の電圧発生装置。
【請求項４】
前記第２昇圧部は、前記第１昇圧電圧が前記負荷に出力されている場合には前記入力電圧を充電し、前記第１昇圧部に前記入力電圧が充電されている場合には前記第２昇圧電圧を前記負荷に出力することを特徴とする、請求項１に記載の電圧発生装置。
【請求項５】
前記第１昇圧電圧を基準電圧と比較して、第１比較信号又は第２比較信号を出力する電圧比較部と、
前記第１比較信号又は第２比較信号に基づいて前記第２昇圧部を選択的に駆動させるスイッチング制御部と、
を更に含むことを特徴とする、請求項１に記載の電圧発生装置。
【請求項６】
前記第１昇圧電圧を前記負荷に印加して前記負荷に流れる電流と基準電流とを比較して、第１比較信号又は第２比較信号を出力する電流比較部と、
前記第１比較信号又は第２比較信号に基づいて前記第２昇圧部を選択的に駆動させるスイッチング制御部と、
を更に含むことを特徴とする、請求項１に記載の電圧発生装置。
【請求項７】
入力電圧を昇圧して第１昇圧電圧を負荷に出力する第１昇圧電圧出力段階と、
前記第１昇圧電圧が所定の範囲であるか否かを判断する判断段階と、
前記第１昇圧電圧が所定の範囲である場合、前記入力電圧を昇圧した第２昇圧電圧を前記負荷に出力する第２昇圧電圧出力段階と、
を含むことを特徴とする、電圧発生方法。
【請求項８】
前記第２昇圧電圧は、前記第１昇圧電圧が前記負荷に出力されている時に前記第２昇圧電圧を充電し、前記第１昇圧電圧が充電されている時に前記負荷に前記第２昇圧電圧を出力することを特徴とする、請求項７に記載の電圧発生方法。
【請求項９】
前記第２昇圧電圧出力段階は、
前記第１昇圧電圧を基準電圧と比較して、第１比較信号又は第２比較信号を出力する段階と、
前記第１比較信号又は第２比較信号に基づいて、前記第２昇圧電圧を選択的に前記負荷に出力する段階と、
を更に含むことを特徴とする、請求項７に記載の電圧発生方法。
【請求項１０】
前記第２昇圧電圧出力段階は、
前記第１昇圧電圧を前記負荷に印加して前記負荷に流れる電流と基準電流とを比較して、第１比較信号又は第２比較信号を出力する段階と、
前記第１比較信号又は第２比較信号に基づいて、前記第２昇圧電圧を選択的に前記負荷に出力する段階と、
を更に含むことを特徴とする、請求項７に記載の電圧発生方法。
【請求項１１】
第１基板を含む第１表示パネルと、
第１昇圧電圧が所定の範囲である場合は第２昇圧電圧を生成し、前記第１昇圧電圧を用いるか、又は前記第１昇圧電圧及び第２昇圧電圧を用いて前記第１表示パネルに第１駆動電圧を出力する駆動部と、
を含み、
前記第１基板は、複数の第１データラインと複数の第１ゲートラインとが形成され画像を表示する第１表示領域と、第１周辺領域と、前記第１周辺領域に集積され前記第１ゲートラインに第１ゲート信号を出力する第１ゲート駆動部と、
を有することを特徴とする、表示装置。
【請求項１２】
前記駆動部は、前記第１周辺領域に配置されていることを特徴とする、請求項１１に記載の表示装置。
【請求項１３】
前記第１表示パネルと電気的に連結され、第２基板を含む第２表示パネルを更に含み、  前記第２基板は、複数の第２データラインと複数の第２ゲートラインが形成され画像を表示する第２表示領域と、第２周辺領域と、前記第２周辺領域に集積され前記第２ゲートラインに第２ゲート信号を出力する第２ゲート駆動部と、を有することを特徴とする、請求項１１に記載の表示装置。
【請求項１４】
前記駆動部は、前記第２表示パネルに第２駆動電圧を出力することを特徴とする、請求項１３に記載の表示装置。
【請求項１５】
前記第１データラインの数は、前記第２データラインの数より多いことを特徴とする、請求項１３に記載の表示装置。
【請求項１６】
前記第１ゲートラインの数は、前記第２ゲートラインの数より多いことを特徴とする、請求項１３に記載の表示装置。
【請求項１７】
前記駆動部は、
入力電圧を昇圧して前記第１昇圧電圧を出力する第１昇圧部と、
前記第１昇圧電圧を用いて前記第１駆動電圧を含む複数の駆動電圧を生成する電圧発生部と、
前記第１昇圧電圧が所定の範囲である場合、前記入力電圧を昇圧して前記第２昇圧電圧を前記電圧発生部に出力する第２昇圧部と、
を含むことを特徴とする、請求項１３に記載の表示装置。
【請求項１８】
前記第２昇圧部は、前記第１昇圧電圧が前記電圧発生部に出力されている場合には前記第２昇圧電圧を充電し、前記第１昇圧電圧が充電されている場合には前記第２昇圧電圧を前記電圧発生部に出力することを特徴とする、請求項１７に記載の表示装置。
【請求項１９】
前記駆動部は、
前記第１昇圧電圧を基準電圧と比較して、第１比較信号又は第２比較信号を出力する電圧比較部と、
前記第１比較信号又は第２比較信号に基づいて前記第２昇圧部を選択的に駆動させるスイッチング制御部と、
を更に含むことを特徴とする、請求項１７に記載の表示装置。
【請求項２０】
前記第１昇圧電圧を負荷に印加して前記負荷に流れる電流と基準電流とを比較して、第１比較信号又は第２比較信号を出力する電流比較部と、
前記第１比較信号又は第２比較信号に基づいて、前記第２昇圧部を選択的に駆動させるスイッチング制御部と、
を更に含むことを特徴とする、請求項１７に記載の表示装置。
【請求項２１】
前記駆動部は、
前記第１ゲート駆動部に第１ゲート制御信号を出力する第１ゲート制御部と、
前記第１データラインを含むデータラインにデータ電圧を出力するデータ駆動部と、
を更に含むことを特徴とする、請求項１１に記載の表示装置。
【請求項２２】
前記駆動部は、前記第２ゲート駆動部に第２ゲート制御信号を出力する第２ゲート制御部を更に含むことを特徴とする、請求項１７に記載の表示装置。
【請求項２３】
前記電圧発生部は、
前記第１ゲート制御部に出力される第１ゲート電圧を生成するゲート電圧発生部と、
前記データ駆動部に出力されるガンマ基準電圧を生成するガンマ電圧発生部と、
を含むことを特徴とする、請求項２２に記載の表示装置。
【請求項２４】
前記ゲート電圧発生部は、前記第２ゲート制御部に出力される第２ゲート電圧を発生することを特徴とする、請求項２３に記載の表示装置。
【請求項２５】
表示パネルを含む表示装置の駆動装置であって、
前記表示パネルは、複数のデータラインと複数のゲートラインとが形成され画像を表示する表示領域と、周辺領域と、前記周辺領域に集積され前記ゲートラインにゲート信号を出力するゲート駆動部が具備されたアレイ基板と、を有し、  画像データをガンマ基準電圧に基づいてデータ電圧に変換し、前記データラインに出力するデータ駆動部と、
ゲート電圧及びゲート制御信号を前記ゲート駆動部に出力するゲート制御部と、
第１昇圧電圧を用いて前記ガンマ基準電圧及びゲート電圧を生成し、第１昇圧電圧が所定の範囲である場合は、前記第１昇圧電圧と第２昇圧電圧とを用いて前記ガンマ基準電圧と前記ゲート電圧とを生成する電圧発生部と、
を含むことを特徴とする、表示装置の駆動装置。
【請求項２６】
前記データ駆動部、前記ゲート制御部、及び前記電圧発生部は、一つのチップの中に構成され前記周辺領域に実装されていることを特徴とする、請求項２５に記載の表示装置の駆動装置。
【発明の詳細な説明】
【技術分野】
【０００１】
本発明は、電圧発生装置、これを具備した表示装置及びその駆動装置に関する。
【背景技術】
【０００２】
一般に、液晶表示モジュールの電源供給装置は、主にＤＣ／ＤＣ変換機及びバックライトインバータで構成される。ＤＣ／ＤＣ変換機は、論理回路を用いて、外部から印加される電源を各種の駆動電圧を生成する。即ち、ＤＣ／ＤＣ変換機は、外部から入力された電源を所定レベルの電圧に昇圧し、昇圧された電圧を用いて駆動電圧を生成する。ここで、各種の駆動電圧には５Ｖ又は３.３Ｖ電源ＶＩＮ、ゲートラインに印加してゲートを制御するためのゲートオン／オフ電圧ＶＳＳ、ＶＤＤ、データラインに印加されるデータ電圧のためのガンマ基準電圧ＶＲＥＦ、パネルの共通電極に印加される共通電圧ＶＣＯＭ等がある。
【発明の開示】
【発明が解決しようとする課題】
【０００３】
前記のようなＤＣ／ＤＣ変換機の設計において最も重要な課題は、出力電圧のリップル及び電圧ドロップである。ＤＣ／ＤＣ変換機は、コンデンサーへ電流を充放電させることにより、外部から入力された電源を所定レベルの電圧に昇圧させる。しかし、このコンデンサーへの電流の充放電により、電流を充放電させるタイミングに同期して出力電圧は山のような波形を描く。これを出力電圧のリップルという。出力電圧のリップルが大きいと、即ち出力電圧は不安定であるため、これを用いて駆動電圧を生成する際に影響が生じてしまう。また、電圧ドロップとは、実際の出力電圧が所望の出力電圧よりも低くなってしまうこと現象をいう。従って、このような問題点のある出力電圧を使用することにより、表示装置の駆動特性及び表示品質が低下してしまうおそれがある。
そこで、本発明は、出力電圧の安定化を図るための電圧発生装置を提供することを目的とする。更には、この電圧発生装置による電圧発生方法、電圧発生装置を具備した表示装置、及びこの表示装置の駆動方法を提供することを目的とする。
【課題を解決するための手段】
【０００４】
前記課題を解決するために、本発明１は、入力電圧を昇圧した第１昇圧電圧を負荷に出力する第１昇圧部と、前記第１昇圧電圧が所定の範囲の場合、前記入力電圧を昇圧した第２昇圧電圧を前記負荷に出力して前記第１昇圧電圧を補償する第２昇圧部と、を含むことを特徴とする、電圧発生装置を提供する。これにより、第１及び第２昇圧部からの出力電圧のタイミングを制御して、負荷に入力される昇圧電圧が遅延しないようにする。これにより、負荷に印加される昇圧電圧のリップルの大きさを小さくさせることができる。又、不安定な第１昇圧電圧を第２昇圧電圧で補償することにより、負荷に入力される昇圧電圧のドロップ現象を防止することができる。従って、表示装置の駆動特性及び表示品質の低下を防止することができる。
本発明２は、前記発明１において、前記所定の範囲は基準電圧より小さい場合を含むことを特徴とする電圧発生装置を提供する。これにより、第１及び第２昇圧部からの出力電圧のタイミングを制御して、負荷に入力される昇圧電圧が遅延しないようにする。これにより、負荷に印加される昇圧電圧のリップルの大きさを小さくさせることができる。又、不安定な第１昇圧電圧を第２昇圧電圧で補償することにより、負荷に入力される昇圧電圧のドロップ現象を防止することができる。従って、表示装置の駆動特性及び表示品質の低下を防止することができる。
本発明３は、前記発明１において、前記所定の範囲は前記第１昇圧電圧を前記負荷に印加して前記負荷に流れる電流が基準電流より小さい場合を含むことを特徴とする電圧発生装置を提供する。これにより、第１及び第２昇圧部からの出力電圧のタイミングを制御して、負荷に入力される昇圧電圧が遅延しないようにする。これにより、負荷に印加される昇圧電圧のリップルの大きさを小さくさせることができる。又、不安定な第１昇圧電圧を第２昇圧電圧で補償することにより、負荷に入力される昇圧電圧のドロップ現象を防止することができる。従って、表示装置の駆動特性及び表示品質の低下を防止することができる。
【０００５】
本発明４は、前記発明１において、前記第２昇圧部は、前記第１昇圧電圧が前記負荷に出力されている場合には前記入力電圧を充電し、前記第１昇圧部に前記入力電圧が充電されている場合には前記第２昇圧電圧を前記負荷に出力することを特徴とする電圧発生装置を提供する。
【０００６】
本発明５は、前記発明１において、前記第１昇圧電圧を基準電圧と比較して、第１比較信号又は第２比較信号を出力する電圧比較部と、前記第１比較信号又は第２比較信号に基づいて前記第２昇圧部を選択的に駆動させるスイッチング制御部と、を更に含むことを特徴とする電圧発生装置を提供する。
【０００７】
本発明６は、前記発明１において、前記第１昇圧電圧を前記負荷に印加して前記負荷に流れる電流と基準電流とを比較して、第１比較信号又は第２比較信号を出力する電流比較部と、前記第１比較信号又は第２比較信号に基づいて前記第２昇圧部を選択的に駆動させるスイッチング制御部と、を更に含むことを特徴とする電圧発生装置を提供する。
【０００８】
また、前記課題を解決するために、本発明７は、入力電圧を昇圧して第１昇圧電圧を負荷に出力する第１昇圧電圧出力段階と、前記第１昇圧電圧が所定の範囲であるか否かを判断する判断段階と、前記第１昇圧電圧が所定の範囲である場合、前記入力電圧を昇圧した第２昇圧電圧を前記負荷に出力する第２昇圧電圧出力段階と、を含むことを特徴とする、電圧発生方法を提供する。これにより、第１及び第２昇圧部からの出力電圧のタイミングを制御して、負荷に入力される昇圧電圧が遅延しないようにする。これにより、負荷に印加される昇圧電圧のリップルの大きさを小さくさせることができる。又、不安定な第１昇圧電圧を第２昇圧電圧で補償することにより、負荷に入力される昇圧電圧のドロップ現象を防止することができる。従って、表示装置の駆動特性及び表示品質の低下を防止することができる。
【０００９】
本発明８は、前記発明７において、前記第２昇圧電圧は、前記第１昇圧電圧が前記負荷に出力されている時に前記第２昇圧電圧を充電し、前記第１昇圧電圧が充電されている時に前記負荷に前記第２昇圧電圧を出力することを特徴とする電圧発生方法を提供する。
【００１０】
本発明９は、前記発明７において、前記第２昇圧電圧出力段階は、前記第１昇圧電圧を基準電圧と比較して、第１比較信号又は第２比較信号を出力する段階と、前記第１比較信号又は第２比較信号に基づいて、前記第２昇圧電圧を選択的に前記負荷に出力する段階と、
を更に含むことを特徴とする電圧発生方法を提供する。
【００１１】
本発明１０は、前記発明７において、前記第２昇圧電圧出力段階は、前記第１昇圧電圧を前記負荷に印加して前記負荷に流れる電流と基準電流とを比較して、第１比較信号又は第２比較信号を出力する段階と、前記第１比較信号又は第２比較信号に基づいて、前記第２昇圧電圧を選択的に前記負荷に出力する段階と、を更に含むことを特徴とする電圧発生方法を提供する。
【００１２】
また、前記課題を解決するために、本発明１１は、第１基板を含む第１表示パネルと、第１昇圧電圧が所定の範囲である場合は第２昇圧電圧を生成し、前記第１昇圧電圧を用いるか、又は前記第１昇圧電圧及び第２昇圧電圧を用いて前記第１表示パネルに第１駆動電圧を出力する駆動部と、を含み、前記第１基板は、複数の第１データラインと複数の第１ゲートラインとが形成され画像を表示する第１表示領域と、第１周辺領域と、前記第１周辺領域に集積され前記第１ゲートラインに第１ゲート信号を出力する第１ゲート駆動部と、を有することを特徴とする表示装置を提供する。これにより、第１及び第２昇圧部からの出力電圧のタイミングを制御して、負荷に入力される昇圧電圧が遅延しないようにする。これにより、負荷に印加される昇圧電圧のリップルの大きさを小さくさせることができる。又、不安定な第１昇圧電圧を第２昇圧電圧で補償することにより、負荷に入力される昇圧電圧のドロップ現象を防止することができる。従って、表示装置の駆動特性及び表示品質の低下を防止することができる。
【００１３】
本発明１２は、前記発明１１において前記駆動部は、前記第１周辺領域に配置されていることを特徴とする表示装置を提供する。
本発明１３は、前記発明１１において、前記第１表示パネルと電気的に連結され、第２基板を含む第２表示パネルを更に含み、  前記第２基板は、複数の第２データラインと複数の第２ゲートラインが形成され画像を表示する第２表示領域と、第２周辺領域と、前記第２周辺領域に集積され前記第２ゲートラインに第２ゲート信号を出力する第２ゲート駆動部と、を有することを特徴とする表示装置を提供する。
【００１４】
本発明１４は、前記発明１３において、前記駆動部は、前記第２表示パネルに第２駆動電圧を出力することを特徴とする表示装置を提供する。
本発明１５は、前記発明１３において、前記第１データラインの数は、前記第２データラインの数より多いことを特徴とする表示装置を提供する。
【００１５】
本発明１６は、前記発明１３において、前記第１ゲートラインの数は、前記第２ゲートラインの数より多いことを特徴とする表示装置を提供する。
本発明１７は、前記発明１３において、前記駆動部は、入力電圧を昇圧して前記第１昇圧電圧を出力する第１昇圧部と、前記第１昇圧電圧を用いて前記第１駆動電圧を含む複数の駆動電圧を生成する電圧発生部と、前記第１昇圧電圧が所定の範囲である場合、前記入力電圧を昇圧して前記第２昇圧電圧を前記電圧発生部に出力する第２昇圧部と、を含むことを特徴とする表示装置を提供する。
【００１６】
本発明１８は、前記発明１７において、前記第２昇圧部は、前記第１昇圧電圧が前記電圧発生部に出力されている場合には前記第２昇圧電圧を充電し、前記第１昇圧電圧が充電されている場合には前記第２昇圧電圧を前記電圧発生部に出力することを特徴とする表示装置を提供する。
【００１７】
本発明１９は、前記発明１７において、前記駆動部は、前記第１昇圧電圧を基準電圧と比較して、第１比較信号又は第２比較信号を出力する電圧比較部と、前記第１比較信号又は第２比較信号に基づいて前記第２昇圧部を選択的に駆動させるスイッチング制御部と、を更に含むことを特徴とする表示装置を提供する。
【００１８】
本発明２０は、前記発明１７において、前記第１昇圧電圧を負荷に印加して前記負荷に流れる電流と基準電流とを比較して、第１比較信号又は第２比較信号を出力する電流比較部と、前記第１比較信号又は第２比較信号に基づいて、前記第２昇圧部を選択的に駆動させるスイッチング制御部と、を更に含むことを特徴とする表示装置を提供する。
【００１９】
本発明２１は、前記発明１１において、前記駆動部は、前記第１ゲート駆動部に第１ゲート制御信号を出力する第１ゲート制御部と、前記第１データラインを含むデータラインにデータ電圧を出力するデータ駆動部と、を更に含むことを特徴とする表示装置を提供する。
【００２０】
本発明２２は、前記発明１７において、前記駆動部は、前記第２ゲート駆動部に第２ゲート制御信号を出力する第２ゲート制御部を更に含むことを特徴とする表示装置を提供する。
【００２１】
本発明２３は、前記発明２２において、前記電圧発生部は、前記第１ゲート制御部に出力される第１ゲート電圧を生成するゲート電圧発生部と、前記データ駆動部に出力されるガンマ基準電圧を生成するガンマ電圧発生部と、を含むことを特徴とする表示装置を提供する。
【００２２】
本発明２４は、前記発明２３において、前記ゲート電圧発生部は、前記第２ゲート制御部に出力される第２ゲート電圧を発生することを特徴とする表示装置を提供する。
また、前記課題を解決するために、本発明２５は、表示パネルを含む表示装置の駆動装置であって、前記表示パネルは、複数のデータラインと複数のゲートラインとが形成され画像を表示する表示領域と、周辺領域と、前記周辺領域に集積され前記ゲートラインにゲート信号を出力するゲート駆動部が具備されたアレイ基板と、を有し、画像データをガンマ基準電圧に基づいてデータ電圧に変換し、前記データラインに出力するデータ駆動部と、ゲート電圧及びゲート制御信号を前記ゲート駆動部に出力するゲート制御部と、第１昇圧電圧を用いて前記ガンマ基準電圧及びゲート電圧を生成し、第１昇圧電圧が所定の範囲である場合は、前記第１昇圧電圧と第２昇圧電圧とを用いて前記ガンマ基準電圧と前記ゲート電圧とを生成する電圧発生部と、を含むことを特徴とする、表示装置の駆動装置を提供する。これにより、第１及び第２昇圧部からの出力電圧のタイミングを制御して、負荷に入力される昇圧電圧が遅延しないようにする。これにより、負荷に印加される昇圧電圧のリップルの大きさを小さくさせることができる。又、不安定な第１昇圧電圧を第２昇圧電圧で補償することにより、負荷に入力される昇圧電圧のドロップ現象を防止することができる。従って、表示装置の駆動特性及び表示品質の低下を防止することができる。
【００２３】
本発明２６は、前記発明２５において、前記データ駆動部、前記ゲート制御部、及び前記電圧発生部は、一つのチップの中に構成され前記周辺領域に実装されていることを特徴とする表示装置の駆動装置を提供する。
【発明の効果】
【００２４】
本発明によると、第１昇圧電圧が不安定な場合、第２昇圧電圧を出力して安定された昇圧電圧を発生することができる。これにより、表示装置は、安定された駆動電圧を得ることができる。従って、表示装置の駆動特性及び表示品質の低下を防止することができる。
【発明を実施するための最良の形態】
【００２５】
以下より、添付図面を参照して本発明をより詳細に説明する。
＜第１実施形態＞
図１は、本発明の第１実施形態に係る電圧発生装置１００の概略的なブロック図である。
図１の電圧発生装置１００は、第１昇圧部１１０、第２昇圧部１２０、負荷１３０、電流比較部１４０及びスイッチング制御部１５０を含む。
【００２６】
第１昇圧部１１０は、第１スイッチング制御信号ＳＷ＿Ｃ１に基づいて、入力電圧ＶＣＣを所定の倍に昇圧する。例えば入力電圧ＶＣＣをＫ倍に昇圧すると、電圧はＫ×ＶＣＣとなる。さらに、第１昇圧部１１０は、昇圧された電圧である第１昇圧電圧１１２を負荷１３０に出力する。電流比較部１４０は、負荷１３０に印加された第１昇圧電圧１１２に対応する電流１３２と基準電流とを比較して、比較結果信号１４２を出力する。スイッチング制御部１５０は、電流比較部１４０の比較結果に基づいて、第２スイッチング制御信号ＳＷ＿Ｃ２を前記第２昇圧部１２０に印加する。第２スイッチング制御信号ＳＷ＿Ｃ２は前記第２昇圧部１２０の駆動を制御する。
【００２７】
電流比較部１４０は、負荷１３０に印加された第１昇圧電圧１１２に対応する電流１３２が基準電流より大きい場合は、第１比較信号を出力する。一方、負荷１３０に印加された第１昇圧電圧１１２に対応する電流１３２が基準電流より小さい場合は、電流比較部１４０は第２比較信号を出力する。スイッチング制御部１５０は、第１比較信号が入力されると第２昇圧部１２０の駆動を停止させる。また、スイッチング制御部１５０は、第２比較信号が入力されると、第２昇圧部１２０を駆動させる。
【００２８】
第２昇圧部１２０が駆動されると、第２昇圧部１２０はスイッチング制御信号ＳＷ＿Ｃ２に基づいて、入力電圧ＶＣＣを所定の倍に昇圧する。例えば、入力電圧ＶＣＣをＫ倍に昇圧すると、電圧はＫ×ＶＣＣとなる。さらに第２昇圧部１２０は、昇圧された電圧である第２昇圧電圧１２２を負荷１３０に出力する。第１昇圧部１１０から第１昇圧電圧が出力される期間は、第２昇圧部１２０は第２昇圧電圧を内部のキャパシタに充電し、第２昇圧部１２０から第２昇圧電圧１２２が出力される期間は、第１昇圧部１１０は第１昇圧電圧１１２を内部のキャパシタに充電するように、スイッチング制御部１５０は、第２昇圧部１１０、１２０を制御する。
従って、第１昇圧電圧１１２が不安定である場合は、第２昇圧電圧１２２が負荷１３０に印加される。また、第２昇圧電圧１２２が不安定である場合は、第１昇圧電圧１１２が負荷１３０に印加される。これにより、負荷１３０には、常に安定された昇圧電圧が印加される。
図２は、図１に図示された電圧発生装置１００の概略的な回路図である。図２を参照すると、第１昇圧部１１０は、第１充電用スイッチＳＷ１１、ＳＷ１２、第１充電用スイッチＳＷ１１、ＳＷ１２に直列に連結された第１充電用キャパシタＣ１０、第１平滑用スイッチＳＷ２１、ＳＷ２２、及び第１平滑用スイッチＳＷ２２に並列に連結された第１平滑用キャパシタＣ２０を含む。第１充電用スイッチＳＷ１１、ＳＷ１２がオンし、第１平滑用スイッチＳＷ２１、ＳＷ２２がオフすると、第１充電用キャパシタＣ２０には入力電圧ＶＣＣがかかり、前記第１充電用キャパシタＣ２０は入力電圧ＶＣＣを充電する。その後、第１充電用スイッチＳＷ１１、ＳＷ１２をオフし、第１平滑用スイッチＳＷ１２、ＳＷ２２をオンすると、第１平滑用キャパシタＣ２０には、入力電圧ＶＣＣと、第１充電用キャパシタＣ１０に充電されている電圧ＶＣＣとが合計された電圧、即ち２倍の入力電圧２ＶＣＣがかかる。そのため、第１平滑用キャパシタＣ２０には２倍の入力電圧２ＶＣＣが充電される。従って、第１昇圧部１１０の出力電圧である第１昇圧電圧１１２は２倍の入力電圧２ＶＣＣとなる。第１昇圧部１１０は、負荷１３０に第１昇圧電圧１１２を出力する。
【００２９】
電流比較部１４０は、第１昇圧電圧１１２が負荷１３０を通過することにより検出された電流１３２と、基準電流ＲＥＦＩとを比較する。第１昇圧電圧１１２が負荷１３０を通過することにより検出された電流１３２が基準電流ＲＥＦＩより大きい場合は、電流比較部１４０は第１比較信号１４２（ＬＯＷ）を出力する。また、第１昇圧電圧１１２が負荷１３０を通過することにより検出された電流１３２が基準電流ＲＥＦＩより小さい場合は、電流比較部１４０は第２比較信号１４２（ＨＩＧＨ）を出力する。
【００３０】
スイッチング制御部１５０は、電流比較部１４０の出力信号１４２に基づいて、第２昇圧部１２０を制御する第２スイッチング制御信号ＳＷ＿Ｃ２を出力する。スイッチング制御部１５０は、第１比較信号（ＬＯＷ）が入力された場合は、第２昇圧部１２０の動作を停止させる。また、スイッチング制御部１５０は、第２比較信号（ＨＩＧＨ）が入力された場合は、第２昇圧部１２０を動作させる。第１昇圧部１１０から第１昇圧電圧が出力される期間は、第２昇圧部１２０は第２昇圧電圧を内部の第２平滑用キャパシタＣ４０に充電し、第２昇圧部１２０から第２昇圧電圧が出力される期間は、第１昇圧部１１０は第１昇圧電圧を内部の第１平滑用キャパシタＣ２０に充電するように、スイッチング制御部１５０は、第２昇圧部１２０を制御する。
【００３１】
第２昇圧部１２０は、第１昇圧部１１０と同様の構成を有する。即ち、第２昇圧部１２０は、第２充電用スイッチＳＷ３１、ＳＷ３２、第２充電用スイッチＳＷ３１、ＳＷ３２と直列に連結された第２充電用キャパシタＣ３０、第２平滑用スイッチＳＷ４１、ＳＷ４２、及び第２平滑用スイッチＳＷ４２に並列に連結された第２平滑用キャパシタＣ４０を含む。第２充電用スイッチＳＷ３１、ＳＷ３２はオンして第２平滑用スイッチＳＷ４１、ＳＷ４２がオフすると、第２充電用キャパシタＣ３０には入力電圧ＶＣＣがかかり、第２充電用キャパシタＣ３０は入力電圧ＶＣＣを充電する。その後、第２充電用スイッチＳＷ３１、ＳＷ３２をオフし、第２平滑用スイッチＳＷ４１、ＳＷ４２をオンすると、第２平滑用キャパシタＣ４０には、入力電圧ＶＣＣと、第２充電用キャパシタＣ３０に充電されている電圧ＶＣＣとが合計された電圧、即ち２倍の入力電圧２ＶＣＣがかかる。そのため、第２平滑用キャパシタＣ４０には２倍の入力電圧２ＶＣＣが充電される。従って、第２昇圧部１２０の出力電圧である第２昇圧電圧１２２は２倍の入力電圧ＶＣＣとなる。第２昇圧部１２０は、負荷１３０に第２昇圧電圧１２２を出力する。
【００３２】
従って、電圧発生装置１００は、負荷１３０に入力された第１昇圧電圧１１２が正常なレベルに達していない場合は、第２昇圧部１２０を駆動して第２昇圧電圧１２２を負荷１３０に入力させる。これにより、電圧発生装置１００は負荷１３０に入力される昇圧電圧を安定化させることができる。
＜第２実施形態＞
図３は、本発明の第２実施形態に係る電圧発生装置２００の概略的なブロック図である。図３の電圧発生装置２００は、第１昇圧部２１０、第２昇圧部２２０、負荷２３０、電圧比較部２４０及びスイッチング制御部２５０を含む。
【００３３】
第１昇圧部２１０は、第１スイッチング制御信号ＳＷ＿Ｃ１に基づいて、入力電圧ＶＣＣを所定の倍に昇圧する。例えば入力電圧ＶＣＣをＫ倍に昇圧すると、電圧はＫ×ＶＣＣとなる。さらに、第１昇圧部２１０は、昇圧された電圧である第１昇圧電圧２１２を負荷２３０及び電圧比較部２４０へ出力する。電圧比較部２４０は、第１昇圧部２１０より入力された第１昇圧電圧２１２と基準電圧とを比較して、比較結果信号２４４を出力する。
【００３４】
スイッチング制御部２５０は、電圧比較部２４０から出力された比較結果信号２４４に基づいて、第２スイッチング制御信号ＳＷ＿Ｃ２を第２昇圧部２２０に印加する。第２スイッチング制御信号ＳＷ＿Ｃ２は、第２昇圧部２２０の駆動を制御する信号である。
【００３５】
電圧比較部２４０は、第１昇圧電圧２１２が基準電圧より大きい場合は第１比較信号２４４を出力し、第１昇圧電圧２１２が基準電圧より小さい場合は第２比較信号２４４を出力する。これをうけて、スイッチング制御部２５０は第１比較信号が入力されると、第２昇圧部２２０の駆動を停止させる。また、スイッチング制御部２５０は第２比較信号が入力されると、第２昇圧部２２０を駆動させる。
【００３６】
第２昇圧部２２０が駆動すると、第２昇圧部２２０は、第２スイッチング制御信号ＳＷ＿Ｃ２に基づいて、入力電圧ＶＣＣを所定の倍に昇圧する。例えば、入力電圧ＶＣＣをＫ倍に昇圧すると、電圧はＫ×ＶＣＣとなる。さらに、第２昇圧部２２０は、昇圧された電圧である第２昇圧電圧２２２を負荷２３０に出力する。第１昇圧部２１０から第１昇圧電圧が出力される期間は、第２昇圧部２２０は第２昇圧電圧を内部のキャパシタに充電し、第２昇圧部２２０から第２昇圧電圧が出力される期間は、第１昇圧部２１０は第１昇圧電圧を内部のキャパシタに充電するように、スイッチング制御部２５０は、第２昇圧部２２０を制御する。
【００３７】
従って、第１昇圧電圧２１２が不安定である場合には、第２昇圧電圧２２２が負荷２３０に印加される。また、第２昇圧電圧２２２が不安定である場合は、第１昇圧電圧２１２が負荷２３０に印加される。これにより、負荷２３０には常に安定した昇圧電圧が印加される。
【００３８】
図４は、図３に図示された電圧発生装置２００の概略的な回路図である。図４を参照すると、第１昇圧部２１０は、第１充電用スイッチＳＷ５１、ＳＷ５２、第１充電用キャパシタＣ５０、第１平滑用キャパシタＣ６０とを含む。第１充電用キャパシタＣ５０は、第１充電用スイッチＳＷ５１、ＳＷ５２に連結している。、第１平滑用キャパシタＣ６０は、第１平滑用スイッチＳＷ６１、ＳＷ６２、及び第１平滑用スイッチＳＷ６１、ＳＷ６２に連結している。第１充電用スイッチＳＷ５１、ＳＷ５２がオンし、第１平滑用スイッチＳＷ６１、ＳＷ６２がオフすると、第１充電用キャパシタＣ５０には入力電圧ＶＣＣがかかり、第１充電用キャパシタＣ５０は入力電圧ＶＣＣを充電する。その後、第１充電用スイッチＳＷ５１、ＳＷ５２がオフし、第１平滑用スイッチＳＷ６１、ＳＷ６２がオンすると、第１平滑用キャパシタＣ６０には、入力電圧ＶＣＣと、第１充電用キャパシタＣ５０に充電されている電圧ＶＣＣとが合計された電圧、即ち２倍の入力電圧２ＶＣＣがかかる。そのため、第１平滑用キャパシタＣ６０には２倍の入力電圧２ＶＣＣが充電される。従って、第１昇圧部２１０の出力電圧である第１昇圧電圧２１２は２倍の入力電圧２ＶＣＣとなる。第１昇圧部２１０は、負荷２３０に第１昇圧電圧２１２を出力する。
【００３９】
電圧比較部２４０は、電圧分配器２４１と比較器２４２とを含む。電圧分配器２４１は、負荷２３０に印加された第１昇圧電圧２１２を分配して、分配電圧２４１ａを出力する。比較器２４２は、基準電圧ＲＥＦＶと分配電圧２４１ａとを比較して、比較結果に応じて出力信号２４４を出力する。具体的には、比較器２４２は、分配電圧２４１ａが基準電圧ＲＥＦＶより大きい場合は第１比較信号（ＬＯＷ）を出力し、分配電圧２４１ａが基準電圧ＲＥＦＶより小さい場合は第２比較信号（ＨＩＧＨ）を出力する。
【００４０】
スイッチング制御部２５０は、電圧比較部２４０の出力信号２４４に基づいて、第２昇圧部２２０を制御するスイッチング制御信号ＳＷ＿Ｃ２を出力する。スイッチング制御部２５０は、第１比較信号（ＬＯＷ）が入力された場合は、第２昇圧部２２０の動作を停止させる。また、スイッチング制御部２５０は、第２比較信号（ＨＩＧＨ）が入力された場合は、第２昇圧部２２０を動作させる。第１昇圧部２１０から第１昇圧電圧が出力される期間は、第２昇圧部２２０は第２昇圧電圧を内部の第２平滑用キャパシタＣ８０に充電し、第２昇圧電圧から第２昇圧電圧が出力される期間は、第１昇圧部２１０は第１昇圧電圧を内部の第１平滑用キャパシタＣ６０に充電するように、スイッチング制御部２５０は、第２昇圧部２２０を制御する。
【００４１】
第２昇圧部２２０は、第１昇圧部２１０と同様の構成を有する。即ち、第２昇圧部２２０は、第２充電用スイッチＳＷ７１、ＳＷ７２、第２充電用スイッチＳＷ７１、ＳＷ７２と連結された第２充電用キャパシタＣ７０、第２平滑用スイッチＳＷ８１、ＳＷ８２、及び第２平滑用スイッチＳＷ８１、ＳＷ８２と連結された第２平滑用キャパシタＣ８０を含む。第２充電用スイッチＳＷ７１、ＳＷ７２はオンして第２平滑用スイッチＳＷ８１、ＳＷ８２はオフすると、第２充電用キャパシタＣ７０には入力電圧ＶＣＣがかかり、第２充電用キャパシタＣ７０は入力電圧ＶＣＣを充電する。その後、第２充電用スイッチＳＷ７１、ＳＷ７２がオフして第２平滑用スイッチＳＷ８１、ＳＷ８２がオンすると、第２平滑用キャパシタＣ８０には、入力電圧ＶＣＣと、第２充電用キャパシタＣ７０に充電されている電圧ＶＣＣとが合計された電圧、即ち２倍の入力電圧２ＶＣＣがかかる。そのため、第２平滑用キャパシタＣ８０には２倍の入力電圧２ＶＣＣが充電される。従って、第２昇圧部２２０の出力電圧である第２昇圧電圧２２２は２倍の入力電圧ＶＣＣとなる。第２昇圧部２２０は、負荷２３０に第２昇圧電圧２２２を出力する。
【００４２】
従って、電圧発生装置２００は、負荷２３０に入力された第１昇圧電圧２１２が正常なレベルに達していない場合は、第２昇圧部２２０を駆動して第２昇圧電圧２２２を負荷２３０に入力させる。これにより、電圧発生装置２００は負荷２３０に入力される昇圧電圧を安定化させることができる。
（電圧発生装置２００の動作；信号のタイミング）
図５乃至図１２は、本発明の第２実施形態による電圧発生装置２００の動作を説明するための入出力信号のタイミング図である。
【００４３】
第１昇圧部２１０には、第１スイッチング制御信号ＳＷ＿Ｃ１が印加される。第１スイッチング制御信号ＳＷ＿Ｃ１は、第１充電用スイッチＳＷ５１、ＳＷ５２を制御する第１充電制御信号ＳＷ＿Ｃ１１と、第１平滑用スイッチＳＷ６１、ＳＷ６２を制御する第１平滑制御信号ＳＷ＿Ｃ１２とを含む。ここで、図５は第１充電制御信号ＳＷ＿Ｃ１１であり、図６は第１平滑制御信号ＳＷ＿Ｃ１２である。第１充電制御信号ＳＷ＿Ｃ１１と第１平滑制御信号ＳＷ＿Ｃ１２とは、互いに逆の位相を有する。即ち、第１充電制御信号ＳＷ＿Ｃ１１がハイ（ＨＩＧＨ）であれば、第１平滑制御信号ＳＷ＿Ｃ１２はロー（ＬＯＷ）である。
【００４４】
図７は、第１昇圧部２１０が出力する第１昇圧電圧Ｐ１＿ＯＵＴの波形である。第１充電用スイッチＳＷ５１、ＳＷ５２と第１平滑用スイッチＳＷ６１、ＳＷ６２は、第１スイッチング制御信号ＳＷ＿Ｃ１１、ＳＷ＿Ｃ１２により制御され、第１昇圧部２１０は図７に示すような第１昇圧電圧Ｐ１＿ＯＵＴを出力する。尚、第１充電用スイッチＳＷ５１、ＳＷ５２及び第１平滑用スイッチＳＷ６１、ＳＷ６２は、ＨＩＧＨの信号を受けるとオンし、ＬＯＷの信号を受けるとオフする。すると、第１昇圧部２１０は、具体的には、第１充電制御信号ＳＷ＿Ｃ１１がハイ（ＨＩＧＨ）で第１平滑制御信号ＳＷ＿Ｃ１２がロー（ＬＯＷ）である場合は、第１充電用キャパシタＣ７０は入力電圧ＶＣＣを充電する。その後、第１充電制御信号ＳＷ＿Ｃ１１がロー（ＬＯＷ）で、第１平滑制御信号ＳＷ＿Ｃ１２がハイ（ＨＩＧＨ）である場合は、第１平滑用キャパシタＣ８０は入力電圧ＶＣＣが２倍に昇圧された電圧２ＶＣＣを充電し出力する。
【００４５】
図８は電圧比較部２４０の出力電圧２４４の波形図ＣＯＭＰ＿ＯＵＴである。電圧比較部２４０は、負荷２３０に入力された第１昇圧電圧２１２と基準電圧ＲＥＦＶとを比較して、図８に示すような出力電圧ＣＯＭＰ＿ＯＵＴを出力する。電圧比較部２４０は、第１昇圧部２１０から安定して出力された第１昇圧電圧２１２が基準電圧ＲＥＦＶより大きい場合は第１比較信号（ＬＯＷ）を出力し、第１昇圧電圧２１２は不安定であり、かつ基準電圧ＲＥＦＶより小さい場合は、第２比較信号（ＨＩＧＨ）を出力する。
【００４６】
電圧比較部２４０の比較結果Ｐ１＿ＯＵＴである第１比較信号及び第２比較信号に基づいて、スイッチング制御部２５０は第２スイッチング制御信号ＳＷ＿Ｃ２を出力する。第２スイッチング制御信号ＳＷ＿Ｃ２は、第２昇圧部２２０の第２充電用スイッチＳＷ７１、ＳＷ７２と、第２平滑用スイッチＳＷ８１、ＳＷ８２とを制御する。
【００４７】
図９及び図１０は第２スイッチング制御信号ＳＷ＿Ｃ２の波形図である。第２スイッチング制御信号ＳＷ＿Ｃ２は、第２充電用スイッチＳＷ７１、ＳＷ７２を制御する図９に示すような第２充電制御信号ＳＷ＿Ｃ２１と、第２平滑用スイッチＳＷ８１、ＳＷ８２を制御する図１０に示すような第２平滑制御信号ＳＷ＿Ｃ２２とを含む。第２充電制御信号ＳＷ＿Ｃ２１と第２平滑制御信号ＳＷ＿Ｃ２２とは、互いに逆の位相を有する。また、第２充電制御信号ＳＷ＿Ｃ２１及び第２平滑制御信号ＳＷ＿Ｃ２２は、電圧比較部２４０の出力電圧２４０に同期して動作する。即ち、電圧比較部２４０の出力電圧２４４がハイ（ＨＩＧＨ）の期間のみスイッチング制御部２５０は動作するため、図８の出力電圧ＣＯＭＰ＿ＯＵＴがハイ（ＨＩＧＨ）の期間；sync1〜sync2のみ第２充電制御信号ＳＷ＿Ｃ２１及び第２平滑制御信号ＳＷ＿Ｃ２２が出力される。
【００４８】
図１１は第２昇圧部２２０が出力する第２昇圧電圧Ｐ２＿ＯＵＴの波形図である。第２昇圧部２２０は、第２スイッチング制御信号ＳＷ＿Ｃ２に基づいて、図１１に示すような第２昇圧電圧Ｐ２＿ＯＵＴを出力する。具体的には、第２充電制御信号ＳＷ＿Ｃ２１がハイ（ＨＩＧＨ）で第２平滑制御信号ＳＷ＿Ｃ２２がロー（ＬＯＷ）である場合は、第２充電用キャパシタＣ７０は入力電圧ＶＣＣを充電する。その後、第２充電制御信号ＳＷ＿Ｃ２１がロー（ＬＯＷ）で第２平滑制御信号ＳＷ＿Ｃ２２がハイ（ＨＩＧＨ）である場合は、第２平滑用キャパシタＣ８０は入力電圧ＶＣＣが２倍に昇圧された電圧２ＶＣＣを充電して出力する。第２昇圧電圧は、負荷２３０に入力される。
【００４９】
尚、第２スイッチング制御信号ＳＷ＿Ｃ２は、第１スイッチング制御信号ＳＷ＿Ｃ１と逆の位相を有する。即ち、第１充電制御信号ＳＷ＿Ｃ１１と第２充電制御信号ＳＷ＿Ｃ２１とは逆の位相を有し、第１平滑制御信号ＳＷ＿Ｃ１２と第２平滑制御信号ＳＷ＿Ｃ２２とは逆の位相を有する。従って、第１昇圧部２１０の第１充電用キャパシタＣ７０は入力電圧ＶＣＣを充電する時、第２昇圧部２２０の第２平滑用キャパシタＣ８０は、充電している第２昇圧電圧２ＶＣＣを負荷２３０に出力する。又、第１昇圧部２１０の第１平滑用キャパシタＣ６０が充電している第１昇圧電圧２ＶＣＣを負荷２３０に出力する時、第２昇圧部２２０の第２充電キャパシタＣ７０は入力電圧ＶＣＣを充電する。
【００５０】
図１２は、負荷２３０に印加される電圧の波形図を示す。負荷２３０には、第１昇圧電圧Ｐ１＿ＯＵＴの安定度に応じて、第１昇圧電圧Ｐ１＿ＯＵＴ、又は第１昇圧電圧Ｐ１＿ＯＵＴ及び第２昇圧電圧Ｐ２＿ＯＵＴが印加される（Ｌｏａｄ＿ＩＮ）。図１２では、sync1までは負荷２３０には第１昇圧電圧Ｐ１＿ＯＵＴが印加され、sync1〜sync2の期間は負荷２３０には第１昇圧電圧Ｐ１＿ＯＵＴ及び第２昇圧電圧Ｐ２＿ＯＵＴが印加され、sync2以降では負荷２３０には第１昇圧電圧Ｐ１＿ＯＵＴが印加されている。即ち、第１昇圧部２１０から出力された第１昇圧電圧Ｐ１＿ＯＵＴが不安定であれば、第２昇圧部２２０を動作させて第１昇圧電圧Ｐ１＿ＯＵＴに加え第２昇圧電圧Ｐ２＿ＯＵＴを印加させる。この際、第１昇圧部２１０及び第２昇圧部２２０からの出力電圧のタイミングを制御して、負荷２３０に入力される昇圧電圧が遅延しないようにする。これにより、負荷２３０に入力される昇圧電圧のリップルの大きさを小さくさせることができる。又、不安定な第１昇圧電圧を第２昇圧電圧で補償することにより、負荷２３０に入力される昇圧電圧のドロップ現象を防止する。
＜第１実施形態の表示装置＞
次に、本発明の第１実施形態に係る表示装置について説明する。図１３は、本発明の第１実施形態に係る表示装置の概略的な平面図である。図１３を参照すると、表示装置３００は、フレキシブル回路基板３１０、アレイ基板３２１、カラーフィルター基板３２２、駆動部３５０、及びゲート駆動部３８０を含む。
【００５１】
フレキシブル回路基板３１０は、外部装置からデータ信号及び制御信号を受信して駆動チップ３５０に伝送する。
アレイ基板３２１は、カラーフィルター基板３２２に対応する表示領域ＤＡと周辺領域ＰＡとを有する。表示領域ＤＡには、列方向に延長された複数のデータラインＤＬと、行方向に延長された複数のゲートラインＧＬとが形成される。表示領域ＤＡには、データラインＤＬとゲートラインＧＬとにより定義される複数の画素部が形成され、それぞれの画素部にはデータラインＤＬとゲートラインＧＬとに連結されたスイッチング素子が形成される。表示領域ＤＡは、アレイ基板、カラーフィルター基板、及び液晶層が具備された液晶表示パネルである。
【００５２】
駆動部３５０は、表示領域ＤＡの一側の周辺領域ＰＡに実装される単一チップであり、フレキシブル回路基板３１０から伝送されたデータ信号及び制御信号に基づいて表示領域ＤＡを駆動させる。また、駆動部３５０は、ゲート駆動部３８０にゲート制御信号を出力し、表示領域ＤＡに駆動電圧を出力する。
【００５３】
ゲート駆動部３８０は、表示領域ＤＡの他側の周辺領域ＰＡに集積される集積回路であり、駆動部３５０から提供されるゲート制御信号に基づいて、ゲートラインＧＬにゲート信号を出力する。
（電圧駆動部３５０）
図１４は、図１３に図示された表示装置３００に係る駆動部３５０の詳細なブロック図である。図１４を参照すると、駆動部３５０は、制御部３５２、メモリ３５３、電圧発生部３３０、ゲート制御部３５４、及びデータ駆動部３５５を含む。
【００５４】
制御部３５２は、外部からデータ信号ＤＡＴＡと制御信号ＣＯＮＴとの入力を受ける。制御信号ＣＯＮＴは、水平同期信号、垂直同期信号、メインクロック信号及びデータイネーブル信号を含む。
【００５５】
制御部３５２は、制御信号ＣＯＮＴに基づいてデータ信号ＤＡＴＡをメモリ３５３に保存する。また、制御部３５２は、ゲート制御部３５４にゲート制御信号３５２ａを出力する。ゲート制御信号３５２ａは、垂直開始信号ＳＴＶ、第１クロック信号ＣＫ及び第２クロック信号ＣＫＢを含む。制御部３５２は、データ駆動部３５５にソース制御信号３５２ｂを出力し、メモリ３５３に保存されたデータ信号３５２ｃを読み出してデータ駆動部３５５に出力する。ソース制御信号３５２ｂは、水平開始信号、ロード信号及び反転信号を含む。制御部３５２は、電圧発生部３５０にメインクロック信号、反転信号等の制御信号３５２ｄを出力する。
【００５６】
メモリ３５３は、データ信号ＤＡＴＡをフレーム又はライン単位で保存する。制御部３５２の制御によって、メモリ３５３はデータ信号を記録又は読み出しを行う。
電圧発生部３３０は、外部から印加された外部電源を用いて各種の駆動電圧を生成する。電圧発生部３３０は第１昇圧部と第２昇圧部とを具備しており、第１昇圧部から出力される昇圧電圧が不安定な場合は、第２昇圧部を駆動して安定した昇圧電圧を得て、安定した各種の駆動電圧を生成するする。駆動電圧は、ゲート電圧ＶＳＳ、ＶＤＤ、ガンマ基準電圧ＶＲＥＦ及び共通電圧ＶＣＯＭ等を含む。電圧発生部３３０はゲート電圧ＶＳＳ、ＶＤＤをゲート制御部３５４に印加し、ガンマ基準電圧ＶＲＥＦをデータ駆動部３５５に印加し、共通電圧ＶＣＯＭを表示領域ＤＡ内の共通電極（図示せず）に印加する。
【００５７】
ゲート制御部３５４は、制御部３５２から印加されたゲート制御信号３５２ａ及び電圧発生部３３０から印加されたゲート電圧ＶＳＳ、ＶＤＤを、アレイ基板の周辺領域ＰＡに集積されたゲート駆動部３８０に出力する。
【００５８】
データ駆動部３５５は、電圧発生部３３０から印加されたガンマ基準電圧ＶＲＥＦに基づいて、メモリ３５３から読み出されたデータ信号をアナログデータ電圧（Ｄ１、Ｄ２、．．．、Ｄｍ）に変換してデータラインＤＬに出力する。
（電圧発生部３３０）
図１５は、図１４に図示された電圧発生部３３０の詳細なブロック図であって、図１の第１実施形態による電圧発生装置１００を適用した例である。図１５を参照すると、電圧発生部３３０は、第１昇圧部３３１、第２昇圧部３３２、負荷３３６、電流比較部３３７、及びスイッチング制御部３３８を含む。
【００５９】
第１昇圧部３３１は、入力電圧ＶＣＣを所定の倍の電圧に昇圧し、昇圧した電圧である第１昇圧電圧３３１ａを負荷３３６に出力する。
第２昇圧部３３２は、スイッチング制御部３３８の制御に基づいて、入力電圧ＶＣＣを昇圧した第２昇圧電圧３３２ａを負荷３３６に出力する。
【００６０】
負荷３３６は、ガンマ電圧発生部３３３、ゲート電圧発生部３３４、及び共通電圧発生部３３５を含む。ガンマ電圧発生部３３３は、入力された第１昇圧電圧３３１ａ、又は第１昇圧電圧３３１ａ及び第２昇圧電圧３３２ａを用いてガンマ基準電圧ＶＲＥＦを生成し、データ駆動部３５５に出力する。ゲート電圧発生部３３４は、第１昇圧電圧３３１ａ、又は第１昇圧電圧３３１ａ及び第２昇圧電圧３３２ａを用いてゲート電圧ＶＳＳ、ＶＤＤを生成し、ゲート制御部３５４に出力する。共通電圧発生部３３５は、第１昇圧電圧３３１ａ及び第２昇圧電圧３３２ａに基づいて共通電圧ＶＣＯＭを生成し、共通電極に出力する。
【００６１】
電流比較部３３７は、負荷３３６に入力された第１昇圧電圧に対応する電流３３６ａと基準電流とを比較し、比較結果信号３３７ａを出力する。スイッチング制御部３３８は、比較結果信号３３７ａに基づいて第２昇圧部３３２の駆動を制御する。即ち、比較結果信号３３７ａは、第１比較信号と第２比較信号とを含む。第１比較信号は、第１昇圧電圧３３１ａが負荷３３６を通過することにより検出された電流が基準電流より大きい場合に出力される。第２比較信号は、第１昇圧電圧３３１ａが負荷３３６を通過することにより検出された電流が基準電流より小さい場合に出力される。
【００６２】
スイッチング制御部３３８は、第１比較信号及び第２比較信号に基づいて、第２昇圧部３３２の駆動を制御する。例えば、電流比較部３３７は、共通電圧発生部３３５に印加された第１昇圧電圧３３１ａによる電流と基準電流とを比較し、第１昇圧電圧３１１ａによる電流が基準電流より小さい場合、スイッチング制御部３３８には第２比較信号が出力される。スイッチング制御部３３８は、第２比較信号に基づいて、第２昇圧部３３２を駆動させるスイッチング制御信号３３８ａを出力する。スイッチング制御信号３３８ａは、第１昇圧部３３１が第１昇圧電圧３３１ａを充電する時は、第２昇圧部３３２は第２昇圧電圧３３２ａを出力し、第１昇圧部３３１が第１昇圧電圧３３１ａを出力する時は、第２昇圧部３３２は第２昇圧電圧３３２ａを出力するように第２昇圧部３３２を制御する。
【００６３】
従って、電圧発生部３３０は、安定された昇圧電圧を用いて安定した駆動電圧を生成する。
図１６は、図１４に図示された電圧発生部の詳細なブロック図であって、図４の第２実施形態による電圧発生装置２００を適用した例である。図１６を参照すると、電圧発生部３４０は、第１昇圧部３４１、第２昇圧部３４２、負荷３４６、電圧比較部３４７、及びスイッチング制御部３４８を含む。
【００６４】
第１昇圧部３４１は、入力電圧ＶＣＣを所定の倍の電圧に昇圧し、昇圧した電圧である第１昇圧電圧３４１ａを負荷３４６に出力する。
第２昇圧部３４２は、スイッチング制御部３４８の制御に基づいて、入力電圧ＶＣＣを昇圧した第２昇圧電圧３４２ａを負荷３４６に出力する。
【００６５】
負荷３４６は、ガンマ電圧発生部３４３、ゲート電圧発生部３４４、及び共通電圧発生部３４５を含む。ガンマ電圧発生部３４３は、第１昇圧電圧３４１ａ、又は第１昇圧電圧３４１ａ及び第２昇圧電圧３４２ａを用いてガンマ基準電圧ＶＲＥＦを生成し、データ駆動部３５５に出力する。ゲート電圧発生部３４４は、第１昇圧電圧３４１ａ、又は第１昇圧電圧３４１ａ及び第２昇圧電圧３４２ａに基づいてゲート電圧ＶＳＳ、ＶＤＤを生成し、ゲート制御部３５４に出力する。共通電圧発生部３４５は、第１昇圧電圧３４１ａ、又は第１昇圧電圧３４１ａ及び第２昇圧電圧３４２ａに基づいて、共通電圧ＶＣＯＭを生成し、共通電極に出力する。
【００６６】
電圧比較部３４７は、第１昇圧電圧３４１ａと基準電圧とを比較し、比較信号３４７ａを出力する。電圧比較部３４７は、比較信号３４７ａによってスイッチング制御部３４８を制御する。比較信号は、第１比較信号と第２比較信号とを含む。第１比較信号は、第１昇圧電圧３４１ａが基準電圧よりも大きい場合に電圧比較部３４７が出力する信号であり、第２比較信号は、第１昇圧電圧３４１ａが基準電圧よりも小さい場合に電圧比較部３４７が出力する信号である。
【００６７】
スイッチング制御部３４８は、第１比較信号及び第２比較信号に基づいて、第２昇圧部３４２の駆動を制御する。例えば、電圧比較部３４７は、第１昇圧電圧と基準電圧とを比較した結果、第１昇圧電圧が基準電圧よりも小さい場合、スイッチング制御部３４８には第２比較信号が出力される。スイッチング制御部３４８は、第２比較信号に基づいて、第２昇圧部３４２を駆動させるスイッチング制御信号３４８ａを出力する。スイッチング制御信号３４８ａは、第１昇圧部３４１が第１昇圧電圧を充電する時は、第２昇圧部３４２は第２昇圧電圧を出力し、第１昇圧部３４１が第１昇圧電圧を出力する時は、第２昇圧部３４２は第２昇圧電圧を出力するように第２昇圧部３４２を制御する。
【００６８】
従って、電圧発生部３４０は、安定された昇圧電圧を用いて安定した駆動電圧を生成する。
図１７は、図１３に図示されたゲート駆動部３８０のブロック図である。図１７を参照すると、ゲート駆動部３８０は、複数のステージ（ＳＲＣ１〜ＳＲＣｎ＋１）が従属連結された一つの第１シフトレジスタ３８１で構成されている。即ち、各ステージの出力端子ＯＵＴがつぎのステージの入力端子ＩＮと連結しているため、各ステージが従属的に連結されている。
【００６９】
第１シフトレジスタ３８１は、ゲートライン（ＧＬ１〜ＧＬｎ）に対応するｎ個のステージ（ＳＲＣ１〜ＳＲＣｎ）と一つのダミーステージ（ＳＲＣｎ＋１）とで構成されている見ることができる。各ステージは、入力端子ＩＮ、出力端子ＯＵＴ、制御端子ＣＴ、クロック信号入力端子ＣＫ、第１電源電圧端子ＶＳＳ、及び第２電源電圧端子ＶＤＤを有する。
【００７０】
一番目ステージの入力端子ＩＮには、動作開始信号として垂直開始信号ＳＴＶが入力され、残りのステージの入力端子ＩＮには、垂直開始信号として前のステージの出力信号が入力される。また、ステージ毎にキャリー信号を発生するキャリー信号発生部を更に具備させて、キャリー信号を残りのステージの入力端子ＩＮに供給してもよい。
【００７１】
各ステージの出力端子ＯＵＴは、ゲートライン（ＧＬ１〜ＧＬｎ）に連結されている。奇数番目ステージには第１クロック信号ＣＫが提供され、偶数番目ステージには第２クロック信号ＣＫＢが提供される。この際、第１クロック信号ＣＫと第２クロック信号ＣＫＢとは、互いに逆の位相を有している。
【００７２】
各ステージの制御端子ＣＴには、つぎのステージの出力信号が制御信号として入力される。制御端子ＣＴに入力される制御信号はリセットの役割を備える。即ち、前のステージの出力信号を強制的にローレベルにする。従って、ステージの出力端子から出力されたゲート信号（Ｇ１、．．．、Ｇｎ）は、該当するゲートライン（ＧＬ１〜ＧＬｎ）に順次に出力される。
＜第２実施形態の表示装置＞
図１８は、本発明の第２実施形態による表示装置の平面図である。図１８を参照すると、第２実施形態に係る表示装置は、第１表示パネル４００、第１フレキシブル回路基板４５０、第２表示パネル５００及び第２フレキシブル回路基板５５０とを含む。第１表示パネル４００は、メイン画像を表示する。第１フレキシブル回路基板４５０は、外部機器と第１表示パネル４００とを電気的に連結する。第２表示パネル５００は、サブ画像を表示する。第２フレキシブル回路基板５５０は、第１表示パネル４００と第２表示パネル５００とを電気的に連結する。
【００７３】
第１表示パネル４００は、第１アレイ基板、第１カラーフィルター基板、駆動部４２０、及び第１ゲート駆動部４４０を含む。第１アレイ基板は、第１カラーフィルター基板に対応する第１表示領域ＤＡ１と、第１表示領域ＤＡ１の周辺に形成された第１乃至第４周辺領域（ＰＡ１１〜ＰＡ１４）とで構成される。第１表示領域ＤＡ１には、ｎ個のゲートライン（ＧＬ１−１〜ＧＬ１−ｎ）、及びゲートラインと直交するｍ個のデータライン（ＤＬ１−１〜ＤＬ１−ｍ）が具備される。
【００７４】
駆動部４２０は、第１周辺領域ＰＡ１１に実装される単一チップであって、第１フレキシブル回路基板４５０を通じて外部機器からデータ信号と制御信号とが入力される。駆動部４２０は、第１表示パネル４００及び第２表示パネル５００に駆動電圧とゲート制御信号とを出力する。
【００７５】
第１ゲート駆動部４４０は、第２周辺領域ＰＡ１２に集積される集積回路であって、駆動部４２０から提供される第１ゲート制御信号に基づいてゲートライン（ＧＬ１−１〜ＧＬ１−ｎ）にゲート信号を出力する。
【００７６】
第２表示パネル５００は、第２アレイ基板、第２カラーフィルター基板、及び第２ゲート駆動部５１０を含む。第２アレイ基板は、第２カラーフィルター基板に対応する第２表示領域ＤＡ２と、第２表示領域ＤＡ２の周辺に形成された第１及び第２周辺領域ＰＡ２１、ＰＡ２２とで構成される。第２表示領域ＤＡ２には、ｉ個のゲートライン（ＧＬ２−１〜ＧＬ２−ｉ）、及びゲートラインと直交するｊ個のデータライン（ＤＬ２−１〜ＤＬ２−ｊ）で構成される。ここで、ｉ及びｎは２以上の自然数であり、ｉはｎより小さいか同じ数（ｎ≧ｎ≧２）である。又、ｊ及びｍは２以上の自然数であり、ｊはｍより小さいか同じ数（ｍ≧ｊ≧２）である。
【００７７】
第２ゲート駆動部５１０は、第２周辺領域ＰＡ２２に集積される集積回路であって、駆動部４２０から提供される第２ゲート制御信号に基づいてゲートライン（ＧＬ２−１〜ＧＬ２−ｉ）にゲート信号を出力する。
【００７８】
第２フレキシブル回路基板５５０は、第１表示パネル４００と第２表示パネル５００とを電気的に連結する。第２フレキシブル回路基板５５０の一端部は、第１表示パネル４００の第４周辺領域ＰＡ１４に電気的に連結され、他の端部は、第２表示パネル５００の第１周辺領域ＰＡ２１に電気的に連結されている。
【００７９】
第２フレキシブル回路基板５５０には、ｊ個の連結ライン（ＣＬ１−１〜ＣＬ１−ｊ）が形成されている。この連結ライン（ＣＬ１−１〜ＣＬ１−ｊ）は、第１表示パネル４００のｊ個のデータライン（ＤＬ１−１〜ＤＬ１−ｊ）と第２表示パネル５００のｊ個のデータライン（ＤＬ２−１〜ＤＬ２−ｊ）とを電気的に連結する。
【００８０】
又、第２フレキシブル回路基板５５０には、第２ゲート制御信号を第２ゲート駆動部５１０に伝達するための連結ラインＣＬ２が形成される。連結ラインＣＬ２は、第１表示パネル４００の第４周辺領域ＰＡ１４に形成されたラインＣＬ２と連結しており、駆動部４２０から出力される第２ゲート制御信号を第２ゲート駆動部５１０に伝達する。従って、駆動部４２０から出力された駆動電圧及び第２ゲート制御信号は、第２表示パネル５００に印加される。
【００８１】
好ましくは、第１表示パネル４００の大きさは、第２表示パネル５００よりも大きいため、第１表示領域ＤＡ１の大きさも第２表示領域ＤＡ２よりも大きい。又、第１表示領域ＤＡ１の解像度は、第２表示領域ＤＡ２の解像度より高い。例えば、第１表示パネル４００の解像度が１７６×２２０で、第２表示パネル５００の解像度は９６×６４である。
（第２実施形態の駆動部）
図１９は、図１８に図示された駆動部の詳細なブロック図である。図１９を参照すると、駆動部４２０は、制御部４２２、メモリ４２３、電圧発生部４３０、第１ゲート制御部４２４、第２ゲート制御部４２５、及びデータ駆動部４２６を含む。
【００８２】
制御部４２２は、外部からデータ信号ＤＡＴＡ及び制御信号ＣＯＮＴの入力を受ける。制御信号ＣＯＮＴは、水平同期信号、垂直同期信号、メインクロック信号、及びデータイネーブル信号等を含む。
【００８３】
制御部４２２は、制御信号ＣＯＮＴに基づいてデータ信号ＤＡＴＡをメモリ４２３に保存する。制御部４２２は、第１及び第２ゲート制御部４２４、４２５に第１及び第２ゲート制御信号４２２ａ、４２２ｂを出力する。第１ゲート制御信号４２２ａは、垂直開始信号ＳＴＶ１、第１クロック信号ＣＫ１、及び第２クロック信号ＣＫＢ１を含み、第２ゲート制御信号４２２ｂは、垂直開始信号ＳＴＶ２、第１クロック信号ＣＫ２、及び第２クロック信号ＣＫＢ２を含む。制御部４２２は、データ駆動部４２６にソース制御信号４２２ｃを出力し、メモリ４２３に保存されたデータ信号４２２ｄを読み出して出力する。ソース制御信号４２２ｃは、水平開始信号、ロード信号、及び反転信号等を含む。制御部４２２は、電圧発生部４３０にメインクロック信号、反転信号等の制御信号４２２ｅを出力する。
【００８４】
電圧発生部４３０は、外部から印加された外部電源を用いて駆動電圧を生成する。電圧発生部４３０は、第１昇圧部と第２昇圧部を具備している。電圧発生部４３は、第１昇圧部から出力される昇圧電圧が不安定な場合は、第２昇圧部を駆動して安定された昇圧電圧を得るため、安定した駆動電圧を発生することができる。電圧発生部４３０は、図１５及び図１６に図示された電圧発生部３３０、３４０と同じ構成要素と駆動方式とを有するので、詳細な説明は省略する。
【００８５】
駆動電圧は、ゲート電圧ＶＳＳ、ＶＤＤ、ガンマ基準電圧ＶＲＥＦ、及び共通電圧ＶＣＯＭ等を含む。電圧発生部４３０は、生成したゲート電圧ＶＳＳ、ＶＤＤを第１及び第２ゲート制御部４２４、４２５に印加し、ガンマ基準電圧ＶＲＥＦをデータ駆動部４２６に印加し、共通電圧ＶＣＯＭを第１及び第２表示パネルの共通電極（図示せず）に印加する。
【００８６】
第１ゲート制御部４２４は、第１ゲート制御信号４２２ａとゲート電圧ＶＳＳ、ＶＤＤとを、第１表示パネル４００の第１ゲート駆動部４４０に出力する。
第２ゲート制御部４２５は、第２ゲート制御信号４２２ｂとゲート電圧ＶＳＳ、ＶＤＤとを、第２表示パネル５００の第２ゲート駆動部５１０に出力する。
【００８７】
データ駆動部４２６は、ガンマ基準電圧ＶＲＥＦに基づいてメモリ４２３から読み出されたデータ信号をアナログのデータ電圧（Ｄ１−１、．．．、Ｄ１−ｊ、．．．、Ｄ１−ｍ）に変換して、データラインに出力する。即ち、第１表示パネル４００に対応する第１データ電圧はｍ個のデータライン（Ｄ１−１、．．．、Ｄ１−ｍ）に出力され、前記第２表示パネル５００に対応する第２データ電圧は、ｊ個のデータライン（Ｄ１−１、．．．、Ｄ１−ｊ）に出力される。
（第１ゲート駆動部）
図２０は、図１８に図示された第１ゲート駆動部のブロック図である。図２０を参照すると、第１ゲート駆動部４４０は、複数のステージ（ＳＲＣ１〜ＳＲＣｎ＋１）が従属連結された一つの第１シフトレジスタ４４１で構成される。即ち、各ステージの出力端子ＯＵＴがつぎのステージの入力端子ＩＮに連結しているため、各ステージが従属的に連結されている。
【００８８】
第１シフトレジスタ４４１は、ゲートライン（ＧＬ１−１〜ＧＬ１−ｎ）に対応するｎ個のステージ（ＳＲＣ１〜ＳＲＣｎ）と一つのダミーステージ（ＳＲＣｎ＋１）とで構成されていると見ることができる。各ステージは、入力端子ＩＮ、出力端子ＯＵＴ、制御端子ＣＴ、クロック信号入力端子ＣＫ、第１電源電圧端子ＶＳＳ、及び第２電源電圧端子ＶＤＤを有する。
【００８９】
一番目ステージの入力端子ＩＮには、動作開始信号として垂直開始信号ＳＴＶが入力され、残りのステージの入力端子ＩＮには、垂直開始信号として前のステージの出力信号が入力される。また、ステージ毎にキャリー信号を発生するキャリー信号発生部を更に具備して、前記キャリー信号を残りのステージの入力端子ＩＮに供給してもよい。
【００９０】
各ステージの出力端子ＯＵＴは、ゲートライン（ＧＬ１−１〜ＧＬ１−ｎ）に連結される。奇数番目ステージには第１クロック信号ＣＫ１が提供され、偶数番目ステージには第２クロック信号ＣＫＢ１が提供される。この際、第１クロック信号ＣＫ１と第２クロック信号ＣＫＢ１とは、互いに逆の位相を有している。
【００９１】
各ステージの制御端子ＣＴには、つぎのステージの出力信号が制御信号として入力される。制御端子ＣＴに入力される制御信号はリセットの役割を備える。即ち、前のステージの出力信号を強制的にローレベルにする。従って、ステージの出力端子から出力されたゲート信号（Ｇ１−１、．．．、Ｇ１−ｎ）は、該当するゲートライン（ＧＬ１−１〜ＧＬ１−ｎ）に順次に出力する。
（第２ゲート駆動部）
図２１は、図１８に図示された第２ゲート駆動部のブロック図である。図２１を参照すると、第２ゲート駆動部５１０は、複数のステージ（ＳＲＣ１〜ＳＲＣｉ＋１）が従属連結された一つの第１シフトレジスタ５１１で構成され、ｉ個のゲートライン（ＧＬ２−１〜ＧＬ２−ｉ）に対応するｉ個のステージ（ＳＲＣ１〜ＳＲＣｉ）と一つのダミーステージ（ＳＲＣｉ＋１）とで構成される。第２ゲート駆動部５１０は、図２０の第１ゲート駆動部４４０と同様に動作するので、詳細な説明は省略する。従って、ステージの出力端子から出力されたゲート信号（Ｇ２−１〜Ｇ２−ｉ）は該当するゲートライン（ＧＬ２−１〜ＧＬ２−ｉ）に順次に出力する。
【００９２】
以上で説明したように、本発明によると、第１昇圧部から負荷に出力される第１昇圧電圧が不安定な場合は、第２昇圧部を駆動して第２昇圧電圧を負荷に出力する。この際、第１昇圧電圧が充電される時には第２昇圧電圧が出力され、第２昇圧電圧が充電される時には第１昇圧電圧が出力される。この際、第１及び第２昇圧部からの出力電圧のタイミングを制御して、負荷に入力される昇圧電圧が遅延しないようにする。これにより、負荷に印加される昇圧電圧のリップルの大きさを小さくさせることができる。又、不安定な第１昇圧電圧を第２昇圧電圧で補償することにより、負荷に入力される昇圧電圧のドロップ現象を防止することができる。従って、安定化された昇圧電圧により安定した表示装置の駆動電圧を生成することができる。
【００９３】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００９４】
【図１】本発明の第１実施形態による電圧発生装置の概略的なブロック図。
【図２】図１に図示された電圧発生装置の概略的な回路図。
【図３】本発明の第２実施形態による電圧発生装置の概略的なブロック図。
【図４】図３に図示された電圧発生装置の概略的な回路図。
【図５】本発明の実施形態による電圧発生装置の動作を説明するためのタイミング図。
【図６】本発明の実施形態による電圧発生装置の動作を説明するためのタイミング図。
【図７】本発明の実施形態による電圧発生装置の動作を説明するためのタイミング図。
【図８】本発明の実施形態による電圧発生装置の動作を説明するためのタイミング図。
【図９】本発明の実施形態による電圧発生装置の動作を説明するためのタイミング図。
【図１０】本発明の実施形態による電圧発生装置の動作を説明するためのタイミング図。
【図１１】本発明の実施形態による電圧発生装置の動作を説明するためのタイミング図。
【図１２】本発明の実施形態による電圧発生装置の動作を説明するためのタイミング図。
【図１３】本発明の第１実施形態による表示装置の概略的な平面図。
【図１４】図１３に図示された表示装置の駆動部の詳細なブロック図。
【図１５】図１４に図示された電圧発生部の詳細なブロック図であって、図１の第１実施形態による電圧発生装置を適用した例。
【図１６】図１４に図示された電圧発生部の詳細なブロック図であって、図４の第２実施形態による電圧発生装置を適用した例。
【図１７】図１３に図示されたゲート駆動部のブロック図。
【図１８】本発明の第２実施形態による表示装置の平面図。
【図１９】図１８に図示された駆動部の詳細なブロック図。
【図２０】図１８に図示された第１ゲート駆動部のブロック図。
【図２１】図１８に図示された第２ゲート駆動部のブロック図。
【符号の説明】
【００９５】
１１０、２１０、３３１、３４１    第１昇圧部
１２０、２２０、３３２、３４２    第２昇圧部
１３０、２３０、３３６、３４６    負荷
１４０、３３７    電流比較部
１５０、２５０、３３８、３４８    スイッチング制御部
２４０    電圧比較部
３３０、４３０    電圧発生部
３３３、３４３    ガンマ電圧発生部
３３４、３４４    ゲート電圧発生部
３３５、３４５    共通電圧発生部
３４７    電圧比較部
３５０    駆動部
３５２、４２２    制御部
３５３、４２３    メモリ
３５４    ゲート制御部
３５５、４２６    データ駆動部
４００    第１表示パネル
４２０    駆動部
４２４    第１ゲート制御部
４２５    第２ゲート制御部
４４０    第１ゲート駆動部
４５０    第１フレキシブル回路基板
５００    第２表示パネル
５１０    第２ゲート駆動部
５５０    第２フレキシブル回路基板
【図１】
2006113516.tif 000003
【図２】
2006113516.tif 000004
【図３】
2006113516.tif 000005
【図４】
2006113516.tif 000006
【図５】
2006113516.tif 000007
【図６】
2006113516.tif 000008
【図７】
2006113516.tif 000009
【図８】
2006113516.tif 000010
【図９】
2006113516.tif 000011
【図１０】
2006113516.tif 000012
【図１１】
2006113516.tif 000013
【図１２】
2006113516.tif 000014
【図１３】
2006113516.tif 000015
【図１４】
2006113516.tif 000016
【図１５】
2006113516.tif 000017
【図１６】
2006113516.tif 000018
【図１７】
2006113516.tif 000019
【図１８】
2006113516.tif 000020
【図１９】
2006113516.tif 000021
【図２０】
2006113516.tif 000022
【図２１】
2006113516.tif 000023